(57)【要約】【課題】薄形で構成の簡単な照光式のディスプレイ装置を提供する。【解決手段】透明な導光材で構成された平板状の表示体を備え、この表示体を額縁状の保持枠で保持し、この保持枠内に複数のＬＥＤ素子を備えた光源を固定的に収容し、この光源の複数のＬＥＤ素子を前記表示体の少なくとも１辺の外側端面に対向してこの端面の長手方向に並置し、前記前記表示体の端面から表示体内にＬＥＤ素子の発光光を入射する。【選択図】図６
2012037643.tif 000002
【特許請求の範囲】
【請求項１】
透明な導光材で構成された平板状の表示体を備え、この表示体を額縁状の保持枠で保持し、この保持枠内に複数のＬＥＤ素子を備えた光源体を固定的に収容し、この光源の複数のＬＥＤ素子を前記表示体の少なくとも１辺の外側端面に対向してこの端面の長手方向に並置し、前記前記表示体の端面から表示体内にＬＥＤ素子の発光光を入射するようにしたことを特徴とするディスプレイ装置。
【請求項２】
請求項１に記載のものにおいて、前記表示体を構成する導光材が、内部に微細な光拡散材の分散混合された透明なプラスチックで構成されたことを特徴とするディスプレイ装置。
【請求項３】
請求項１または２に記載のものにおいて、前記平板状の表示体の表示面となる面の裏面に反射体を設けたことを特徴とするディスプレイ装置。
【請求項４】
請求項１ないし３の何れか１つに記載のものにおいて、前記光源体の複数のＬＥＤ素子の点灯順序、点灯の強さ、点灯時間等を制御することを特徴とするディスプレイ装置。
【請求項５】
請求項１ないし４の何れか１つに記載のものにおいて、前記表示体は、保持枠に対して出し入れ自在に構成したことを特徴とするディスプレイ装置。
【発明の詳細な説明】
【技術分野】
【０００１】
この発明は、発光ダイオード（以下ＬＥＤという）を光源とした照光式の宣伝等に使用するディスプレイ装置に関する。
【背景技術】
【０００２】
ＬＥＤを光源に使用したディスプレイ装置の従来例を図８に示す。このようなディスプレイ装置は、特許文献１等により従来から知られている。
【０００３】
図８において、５０は、ＬＥＤを光源とした照光式のディスプレイ装置である。このディスプレイ装置５０は、導光性の透明プラスチックで構成され、表面に文字、図形５１ａ等の刻印された本体５１を備える。この本体５１の裏面側に所定の間隔をおいて基板５３を配置し、この基板５３によりプリント基板等に搭載されたＬＥＤ５２を支持するようにしている。基板５３は、裏面板５４に支持固定される。電源・制御装置を介してＬＥＤ５２を発光させ、本体５１を裏面から照光することにより、本体５１の表面に彫刻等により表示された文字や、図形５１ａを浮き上がらせる等して、表示効果をあげることができる。さらに、前記電源・制御装置によりＬＥＤ５２の発光を制御して、ＬＥＤ５２を点滅させたり、発光色を変化させたりすることにより、周囲へのアピール度をより高めることができる。
【先行技術文献】
【特許文献】
【０００４】
【特許文献１】実用新案登録第３１３８７４１号公報
【発明の概要】
【発明が解決しようとする課題】
【０００５】
しかしながら、このような従来装置においては、表示装置本体５１を裏面からＬＥＤ５２により照光するようにしているので、本体５１の均等な照光のために、本体５１と照光光源となるＬＥＤ５２との間に相当の空間が必要となるので、装置全体の厚さが厚くなる不都合がある。また、本体５１の表面の光量分布を均等にするためには、ＬＥＤ５２の後ろ側に反射手段等を設けることが必要となり、構成が複雑になる不都合もある。
【０００６】
この発明は、前記のような従来装置における不都合を解消するために、厚さが薄く、構成の簡単な照光式のディスプレイ装置を提供することを課題とするものである。
【課題を解決するための手段】
【０００７】
この発明は、前記課題を解決するため、透明な導光材で構成された平板状の表示体を備え、この表示体を額縁状の保持枠で保持し、この保持枠内に複数のＬＥＤ素子を備えた光源を固定的に収容し、この光源の複数のＬＥＤ素子を前記表示体の少なくとも１辺の外側端面に対向してこの端面の長手方向に並置し、前記前記表示体の端面から表示体内にＬＥＤ素子の発光光を入射するようにしたことを特徴とするものである。
【０００８】
この発明においては、前記表示体を、内部に微細な光拡散剤が分散混入された透明な導光材で構成し、さらに、前記平板状の表示体の表示面となる面に対向する裏面に反射体を設けることができる。
【０００９】
また、前記保持体を照光するＬＥＤ素子の点灯順序や、点灯の強さおよび点灯時間等を制御することもできる。そして、前記表示体は、保持枠に対して出し入れ自在に構成するのがよい。
【発明の効果】
【００１０】
この発明によれば、内部に微細な光拡散剤が分散混入された透明な導光材で構成された平板上の表示体を額縁状の保持枠で保持し、表示体の少なくとも１辺の外側端面と保持枠の間に光源となるＬＥＤ素子を複数個外側端面の長手方向に並置し、ＬＥＤ素子により表示体を側端面から照光するため、表示体の裏面側の照光のための空間が不要となり、表示装置の厚さが薄く、かつ構成の簡単なものとすることができる。
【図面の簡単な説明】
【００１１】
【図１】この発明の実施例によるディスプレイ装置の外観を示す正面図。
【図２】図１におけるII−II線に沿う平面断面図。
【図３】図２におけるＡ部およびＢ部をそれぞれ拡大して示す平面断面図。
【図４】図１におけるIV部を拡大して示す部分拡大正面断面図。
【図５】この発明の実施例によるディスプレイ装置の外観を示す斜視図。
【図６】この発明の実施例によるディスプレイ装置の構成を示す分解斜視図。
【図７】図６における光源体２のVII部を拡大して示す部分拡大斜視図。
【図８】従来のディスプレイ装置の構成を示す縦断面図。
【発明を実施するための形態】
【００１２】
この発明の実施の形態を、図に示す実施例について説明する。
【００１３】
図１ないし図７はこの発明の実施例によるディスプレイ装置の構成を示すものである。
【００１４】
この発明のディスプレイ装置の外観は、図１および図５に示すように縦長の方形平板状の表示体１の外周縁を額縁状の保持枠３で保持して構成される。表示体１は、内部に微細な光拡散剤を分散混入した透明なアクリル樹脂等で構成した平板状の導光材で形成されている。表示体１を照光するＬＥＤ素子を有する光源体２が、保持枠３内に収容され、ＬＥＤ素子の発光光が平板状の表示体１の外側端面から表示体１内へ入射されるように、ＬＥＤ素子を表示体１の外側端面に対向配置して固定する。
【００１５】
額縁状の保持枠３は、図２、図３および図６から理解できるように、断面Ｌ字形のアルミニウムの引抜き材で形成される。この保持枠３は、表示体１の４辺を保持することができる適宜の長さの４つの分割フレーム３１〜３４に分割されている。各分割フレーム３１〜３４をそれぞれＬ字形の連結片３３（３３ａ〜３３ｄ）を介してねじ３７により相互に連結結合して１つの額縁状の保持枠３となる。この保持枠３には、表示体１を保持するとともに保持枠内３に収容した光源２を固定するために、断面Ｌ字形の補助フレーム４を備える。補助フレーム４は、２から４個の分割補助フレーム４１〜４４に分割されている。
【００１６】
表示体１を保持する保持枠３内に、複数のＬＥＤ素子２１をプリント基板２２により固定支持して構成した光源体２が収容され、保持枠３に固定されている。光源体２は、詳細を図７に示すようにプリント基板２２上に複数個のＬＥＤ素子２１を適宜の間隔で直線状に配列して固定支持している。プリント基板２２には外部電源との接続のために接続端子台２３が設けられ、この接続端子台２３の内部接続端子がプリント配線２４によってＬＥＤ素子２１に接続される。また、接続端子台２３の外部接続端子に外部接続線２６を接続し、この接続線を図示しない外部の電源・制御装置に接続して、光源体２のＬＥＤ素子２１の点灯を制御する。
【００１７】
このように、複数のＬＥＤ素子２１を搭載した光源体２のプリント基板２２は、図２、図３および図６から明らかなように表示体１の長手方向の対向する２辺の外側端面に沿う分割フレーム３１および３３にねじ止めにより固定される。フレーム３１および３３に固定された光源体２のＬＥＤ素子２１は、表示体１の長手方向の２つの辺１１および１３の外側端面に対して適宜の間隔をおいて対向配置されるようにする。
【００１８】
光源体２の配置された箇所では、断面Ｌ字形の補助フレーム４（４１、４３）が光源体２のプリント基板２２の上から、補助フレームの取り付け高さを決めるためのスペーサ４５，４６等を介して分割フレーム３１〜３４側に押し付けられ、ねじ３５、３６等により分割フレーム３１〜３４にねじ止め固定される。また、そして光源体２の配置されていない箇所では、補助フレーム４（４２、４４）が直接、分割フレーム３２、３４にねじ３８によりねじ止め固定される。
【００１９】
このとき、図３に示すように分割フレーム３１および３３の表示体１の表示面と平行する辺３１ａおよび３３ａと補助フレーム４１および４３の同様に表示体１の表示面と平行する辺４１ａおよび４３ａの間に表示体１の挿入可能な隙間が形成されるようにする。もちろん、光源体２の配置されていない表示体１の短辺部分の保持枠３の分割フレーム３２および３４と補助フレーム４２および４４との間にも表示体１の挿入可能な隙間が形成されるようにする。
【００２０】
保持枠３と補助フレーム４との間に形成された隙間に挿入された表示体１の位置を固定して、表示体１の外側端面と光源体２のＬＥＤ素子２１の対向間隔を一定に保持するための位置決め手段として図４に示すように、分割フレーム３１〜３４をＬ字形連結金具３３ａ〜３３ｄを介して連結するときに使用する連結ねじ３７を利用している。すなわち、連結ねじ３７の長さを所定の長さにして、その先端が表示体１の外側端面１１〜１４に当接されるようにすることにより、保持枠３と表示体１１の外側端面との間の間隔を決められた間隔にするのである。
【００２１】
保持枠３に表示体１を挿入または、交換のために表示体１を保持枠３から引き出すときは、例えば、図５における右側の光源体２の固定された分割フレーム３２を保持枠３から外して保持枠３の右辺を開放する。開放された保持枠３の右辺から表示体１を挿入し、上下の分割フレーム３２、３４と補助フレーム４２、４３との間に形成される隙間に沿って表示体１を押し込むことにより、表示体１を保持枠３に挿入することができる。表示体１が保持枠３に完全に挿入されたところで、保持枠１の右辺に光源体２の固定された分割フレーム３３を結合して、右辺を閉塞することにより、表示体１がこれを保持する保持枠３と一体構成される。
【００２２】
表示体１を交換するために、保持枠３から引き出す場合は、挿入時と反対の作業により引き出すことができる。引出した後に、新たな表示体１を保持枠３に挿入することにより、ディスプレイ装置も表示内容を簡単に変更することができる。
【００２３】
表示体１の交換時に光源体２の取り付けられていない、ここでは、上下の分割フレーム３２、３４と補助フレーム４２，４４によって形成された隙間をガイドにして挿入するようにすると、挿入時に表示体１が保持枠に固定された光源体２のＬＥＤ素子２１に当たることがないので、ＬＥＤ素子を傷つけることなく安全に挿入することができる。
【００２４】
なお、表示体１には表面に所望の文字や図形を表示するだけでなく、これと対向する裏面にも、所望の文字や図形を刻印等により表示することができる。さらに、表示体１の表面の表示面からの発光効率を高めるために、文字や図形の刻印表示された裏面に白色のシート等からなる反射体を貼り付けるようにするのがよい。
【００２５】
このように構成されたこの発明のディスプレイ装置により照光表示を行う場合は、外部接続線２６（図７参照）を外部の電源・制御装置に接続することにより光源体２のＬＥＤ素子２１を点灯する。これによりＬＥＤ素子２１が発光し、発光光が表示体１の左右両側端面から表示体１内へ入射される。入射された光は、表示体１を構成する導光体内に分散混入された微細な光拡散剤により全方位に反射して拡散されるため、表示体１の全面から発光光が出射されることになる。この光により表示体１の表示面となる表面またはこの面と対向する裏面に表示された文字や図形が照光されて表示が強調されるため、表示効果が高められる。
【００２６】
このとき、光源体２の複数のＬＥＤ素子２１の点灯順序や強さおよび点灯時間等を時系列的に制御するようにすれば、サイン広告のように表示光に時間的な動きが与えられるようになるので、表示体の表示内容がより際立ち、表示効果をより高めることができる。
【００２７】
上記のこの発明の実施例においては、２個の光源体２を表示体１の左右両辺の外側端面にそれぞれ対向配置したものを示したが、光源体２を１個用い、少なくとも表示体１の４辺の何れか１辺の外側端面に対向配置するようにしてもよく、また、表示体１の表示光をより明るくするために、表示体１の４辺の全部の外側端面に光源体１を対向配置することもできる。
【符号の説明】
【００２８】
１：表示体
２：光源体
２１：ＬＥＤ素子
３：保持枠
３１〜３４：分割フレーム
４（４１〜４４）：補助フレーム
【図１】
2012037643.tif 000003
【図２】
2012037643.tif 000004
【図３】
2012037643.tif 000005
【図４】
2012037643.tif 000006
【図５】
2012037643.tif 000007
【図６】
2012037643.tif 000008
【図７】
2012037643.tif 000009
【図８】
2012037643.tif 000010